(57)【要約】【課題】  従来エレベータメーカの各部門で個別に管理されていたエレベータ制御データを、ペーパーレスで一元的に管理すること。【解決手段】  エレベータ制御装置２の制御データ記憶手段３（E2PROM）に記憶されるエレベータ制御データの内容は、設計、製造、及び保守の各部門によって逐次変更されている。ホストコンピュータ４の制御データ変更履歴取得保存手段６は、エレベータ制御データの初期値から現在値に至る制御データ変更履歴情報を取得し保存する。これにより、エレベータ制御データの一元管理が実現される。【選択図】  図１
2006044867.tif 000002
【特許請求の範囲】
【請求項１】
エレベータ制御装置内の書換可能な記憶手段に記憶されたエレベータ制御データについて管理を行うホストコンピュータと、このホストコンピュータとの間で各種データの授受を行う端末とを備えたエレベータ制御データ管理システムにおいて、
前記ホストコンピュータは、前記エレベータ制御データの初期値から現在値に至る変更履歴を、前記エレベータ制御装置又は前記端末から取得し、これを保存する制御データ変更履歴取得保存手段を有するものである、
ことを特徴とするエレベータ制御データ管理システム。
【請求項２】
前記ホストコンピュータ、前記エレベータ制御装置、及び前記端末はネットワークに接続されており、前記ホストコンピュータは、前記エレベータ制御装置又は前記端末からの前記制御データの取得を該ネットワークを介して行うものである、
ことを特徴とする請求項１記載のエレベータ制御データ管理システム。
【請求項３】
前記ホストコンピュータは、前記エレベータ制御装置又は前記端末からの前記制御データの取得を記録媒体を介して行うものである、
ことを特徴とする請求項１記載のエレベータ制御データ管理システム。
【請求項４】
前記端末には、エレベータ保守作業を担当する保守作業員が操作する保守部門端末が含まれており、
該保守部門端末は、前記記憶手段に記憶されている制御データに対する調整を行う制御データ調整手段と、該制御データ調整手段による調整が完了した場合にその完了を前記ホストコンピュータに対して指示する調整完了指示手段とを有しており、
前記ホストコンピュータは、前記調整完了指示手段からの指示に基づいて、前記記憶手段から前記制御データを前記ネットワークを介してダウンロードし、これを前記制御データ変更履歴取得保存手段に出力する制御データダウンロード手段を有するものである、
ことを特徴とする請求項２記載のエレベータ制御データ管理システム。
【請求項５】
前記端末には、エレベータ設計業務を担当する設計員が操作する設計部門端末、及びエレベータ製造業務を担当する製造員が操作する製造部門端末が含まれており、
前記設計部門端末及び製造部門端末は、それぞれ設計段階及び工場出荷段階での前記制御データを作成する制御データ作成手段を有するものである、
ことを特徴とする請求項２記載のエレベータ制御データ管理システム。
【請求項６】
前記記憶手段に記憶されたエレベータ制御データには、エレベータ保守作業を担当する保守作業員により調整が行われたことを示す調整済み指示フラグが含まれており、
前記ホストコンピュータには、前記調整済み指示フラグの有無を所定周期毎にチェックし、該調整済み指示フラグを検出した場合に、前記記憶手段から前記制御データを前記ネットワークを介してダウンロードし、これを前記制御データ変更履歴取得保存手段に出力する制御データダウンロード手段を有するものである、
ことを特徴とする請求項２記載のエレベータ制御データ管理システム。
【発明の詳細な説明】
【技術分野】
【０００１】
本発明は、エレベータ制御データの管理を行うエレベータ制御データ管理システムに関するものである。
【背景技術】
【０００２】
近時のエレベータシステムは、コンピュータ技術の急速な発達により、エレベータ制御に関する種々の機能を具備することができるようになっている。これらエレベータ制御に関する種々の機能は、マイクロコンピュータで構成される運転制御装置が、メモリに記憶されている制御手順すなわち運転制御プログラムを実行することにより実現される。
【０００３】
運転制御プログラムのうち基本的なものは書換不可能なメモリに固定データとして記憶されているが、ユーザ毎の個々の事情に応じて選択されるべきものは書換可能なメモリに可変データとして記憶されている。この可変データとしての運転制御プログラムは、可変データであるが故に管理が難しく、時としてエレベータ制御装置のメモリに実際に搭載されているものと、エレベータ保守会社のデータベースに登録されているものとが必ずしも同一のものにならないことがある。特許文献１，２に開示されている技術は、運転制御プログラムを適切に管理することにより、このような不具合の発生をを防止しようとするものである。
【０００４】
ところで、「運転制御プログラム」とはエレベータ運転の制御手順を示したソフトウエアを指しているが、これとは別の概念として、例えば、エレベータ運転の制御に用いられる各種パラメータ設定値や各種状態又は機能の有無を示すデータがある。本明細書では、このような各種パラメータ設定値や各種状態又は機能の有無を示すデータのことを「制御データ」と呼ぶことにする。この制御データの具体的な例としては、例えばエレベータ速度の数値や、特定のオプション機能の適用の有無を示すデータなどをあげることができる。このような制御データのデータ内容は、保守業務を担当する保守作業員が実際に乗り心地を試してみた上で決定したり、設計を担当する設計者が種々の事象を考慮した上で決定したり、あるいはユーザの希望に基づき決定したりしており、運転制御プログラム以上に内容変更を伴うことが多く、それ故データ管理が一層難しいものといえる。
【０００５】
図５は、エレベータメーカにおけるこのような制御データについての従来の管理の仕方を示すフローチャートである。なお、本明細書では書換可能な記憶手段としてE2PROMを用いた場合を例に取り説明する。また、E2PROMに対して書き込みを行う場合に、その書き込みの基礎となる制御データを「制御データ0」、「制御データ1」のように、末尾に世代を示す番号を付して表す。同様に、E2PROMに実際に書き込まれたデータ内容を「ROM0」、「ROM1」のように末尾に世代を示す番号を付して表し、更に制御データシートに書き込まれて設計資料として用いられるデータ内容を「制御データシート0」、「制御データシート1」のように末尾に世代を示す番号を付して表す。ここで、「制御データ」と「制御データシート」との違いは、前者は単にデータが所定の規則に従って配列されただけのものであり、そのままでは人が読んでも理解できないものであるのに対し、後者は人が読んで理解できるように、アドレスやデータ名、及びデータ内容等が記載されている点である。
【０００６】
まず、設計部門では、設計ルール及びユーザ仕様データに基づき、制御データ作成処理を行い（ステップ１０１）、「制御データ0」を作成する。設計部門では、更に、この「制御データ0」に基づきデータシート作成処理を行い（ステップ１０２）、「制御データシート0」を作成する。この「制御データシート0」は電子ファイルデータではなく紙に書かれたデータである。そして、この「制御データシート0」に対して追加指示設定処理を行い（ステップ１０３）、「制御データシート1」を作成する。この「制御データシート1」も紙に書かれたデータである。なお、「追加指示」とは、主として設計ルール及びユーザ仕様データだけでは決めることができない事項であって当初から追加されることが予定されている事項（例えば、ユーザの希望に基づき選択される数値や機能）についての指示などを指している。
【０００７】
一方、製造部門では、設計部門が作成した「制御データ0」を実装デバイスであるE2PROMにPROMライターで書き込む処理を行い（ステップ１０４）、「ROM0」を生成する。この後、製造部門では、設計部門が作成した「制御データシート1」を参照し、「ROM0」に対して追加指示の書き込み処理を行って（ステップ１０５）、「ROM1」を生成する。この「ROM1」が書き込まれたE2PROMが実装デバイスとしてエレベータ制御装置に組み込まれて工場から出荷される。そして、このエレベータ制御装置が現地に据え付けられる。
【０００８】
現地に設置されたエレベータに対しては、実際にエレベータ運転を行って乗り心地等についての調整を行う必要がある。保守部門の保守作業員は、このような現地での調整によるデータ変更を「ROM1」に対して行い（ステップ１０６）、「ROM2」を生成する。そして、利用者に対するエレベータ運転のサービスは、この「ROM2」に基づき行われることになる。
【特許文献１】特開平７−２４７０７０号公報
【特許文献２】特開２００２−６０１５４号公報
【発明の開示】
【発明が解決しようとする課題】
【０００９】
上記のように、E2PROMに書き込まれるデータの内容は、当初の仕様に基づく「ROM0」、追加指示が盛り込まれた「ROM1」、現地調整が行われた「ROM2」と、逐次変更されており、この変更には各部門が関わっている。そして、これらのデータ変更の内容についての管理は各部門毎に個別に行われていた。
【００１０】
この場合、設計部門では、当初の制御データが作成された後のデータ変更履歴は、「制御データシート」と呼ばれる紙の書類に書き込まれて管理されるのが原則になっている。したがって、変更履歴を追うのが難しく、多くの労力及び時間を費やす結果となっている。
【００１１】
また、保守部門の現地調整により得られた「ROM2」は、設計部門や製造部門にフィードバックされることがないために、エレベータシステムをリニューアルする場合や、何らかの事情で「ROM2」のデータ内容を消失させてしまったような場合に、全く同一の「ROM2」を得ることが困難であった。
【００１２】
本発明は上記事情に鑑みてなされたものであり、従来エレベータメーカの各部門で個別に管理されていたエレベータ制御データを、ペーパーレスで一元的に管理することが可能なエレベータ制御データ管理システムを提供することを目的としている。
【課題を解決するための手段】
【００１３】
上記課題を解決するための手段として、請求項１記載の発明は、エレベータ制御装置内の書換可能な記憶手段に記憶されたエレベータ制御データについて管理を行うホストコンピュータと、このホストコンピュータとの間で各種データの授受を行う端末とを備えたエレベータ制御データ管理システムにおいて、前記ホストコンピュータは、前記エレベータ制御データの初期値から現在値に至る変更履歴を、前記エレベータ制御装置又は前記端末から取得し、これを保存する制御データ変更履歴取得保存手段を有するものである、ことを特徴とする。
【００１４】
請求項２記載の発明は、請求項１記載の発明において、前記ホストコンピュータ、前記エレベータ制御装置、及び前記端末はネットワークに接続されており、前記ホストコンピュータは、前記エレベータ制御装置又は前記端末からの前記制御データの取得を該ネットワークを介して行うものである、ことを特徴とする。
【００１５】
請求項３記載の発明は、請求項１記載の発明において、前記ホストコンピュータは、前記エレベータ制御装置又は前記端末からの前記制御データの取得を記録媒体を介して行うものである、ことを特徴とする。
【００１６】
請求項４記載の発明は、請求項２記載の発明において、前記端末には、エレベータ保守作業を担当する保守作業員が操作する保守部門端末が含まれており、該保守部門端末は、前記記憶手段に記憶されている制御データに対する調整を行う制御データ調整手段と、該制御データ調整手段による調整が完了した場合にその完了を前記ホストコンピュータに対して指示する調整完了指示手段とを有しており、前記ホストコンピュータは、前記調整完了指示手段からの指示に基づいて、前記記憶手段から前記制御データを前記ネットワークを介してダウンロードし、これを前記制御データ変更履歴取得保存手段に出力する制御データダウンロード手段を有するものである、ことを特徴とする。
【００１７】
請求項５記載の発明は、請求項２記載の発明において、前記端末には、エレベータ設計業務を担当する設計員が操作する設計部門端末、及びエレベータ製造業務を担当する製造員が操作する製造部門端末が含まれており、前記設計部門端末及び製造部門端末は、それぞれ設計段階及び工場出荷段階での前記制御データを作成する制御データ作成手段を有するものである、ことを特徴とする。
【００１８】
請求項６記載の発明は、請求項２記載の発明において、前記記憶手段に記憶されたエレベータ制御データには、エレベータ保守作業を担当する保守作業員により調整が行われたことを示す調整済み指示フラグが含まれており、前記ホストコンピュータには、前記調整済み指示フラグの有無を所定周期毎にチェックし、該調整済み指示フラグを検出した場合に、前記記憶手段から前記制御データを前記ネットワークを介してダウンロードし、これを前記制御データ変更履歴取得保存手段に出力する制御データダウンロード手段を有するものである、ことを特徴とする。
【発明の効果】
【００１９】
本発明によれば、ホストコンピュータの制御データ変更履歴取得保存手段がエレベータ制御データの初期値から現在値に至る変更履歴を、エレベータ制御装置又は各部門の端末から取得して保存する構成となっているので、エレベータ制御データの一元的な管理をペーパーレスで行うことが可能になる。
【発明を実施するための最良の形態】
【００２０】
図１は、本発明の実施形態の構成図である。この図において、ネットワーク１に、E2PROMなどの書換可能な制御データ記憶手段３を有するエレベータ制御装置２と、制御データダウンロード手段５及び制御データ変更履歴取得保存手段６を有するホストコンピュータ４と、制御データ作成手段８及び制御データシート作成手段９を有する設計部門端末７と、制御データ作成手段８を有する製造部門端末１０と、制御データ調整手段１２及び調整完了指示手段１３を有する保守部門端末１１とがそれぞれ接続されている。なお、上記の各部門の端末７，１０，１１はパーソナルコンピュータにより構成されている。
【００２１】
次に、図１の動作を図２のフローチャートを参照しつつ説明する。設計部門の設計員は、設計ルール及びユーザ仕様データを参照し、更に追加指示データも参照して、設計部門端末７の制御データ作成手段８により制御データ作成処理を行い（ステップ１）、「制御データ1」を得る。従来は、図５のステップ１０３に示したように、追加指示データは紙の「制御データシート1」に書かれていたが、この実施形態では電子ファイルデータとして当初から「制御データ1」に含まれている。なお、この「制御データ1」は設計部門端末７からホストコンピュータ４に送られ、ホストコンピュータ４のデータベース（図示せず）に保存される。
【００２２】
次いで、設計員は制御データシート作成手段９により制御データシート作成処理を行い（ステップ２）、「制御データシート1」を得る。この「制御データシート1」は、設計部門端末７の記憶部（図示せず）に記憶されると共に、設計部門端末７からホストコンピュータ４に送られ、ホストコンピュータ４のデータベースに保存される。
【００２３】
図３は、この「制御データシート1」のデータ構成例を示す説明図である。この図に示すように、「制御データシート1」には、「アドレス」、「データ名称」、「データ内容」等が記載されている。
【００２４】
一方、製造部門の製造員は、設計部門端末７又はホストコンピュータ４から「制御データ1」を製造部門端末１０に取り込み、これをPROMライターでE2PROMに書き込んで（ステップ３）、「ROM1」を得る。この「ROM1」が書き込まれたE2PROMが実装デバイスとしてエレベータ制御装置に組み込まれて工場から出荷される。そして、このエレベータ制御装置が現地に据え付けられる。
【００２５】
現地に設置されたエレベータに対しては、実際にエレベータ運転を行って乗り心地等についての調整を行う必要がある。保守部門の保守作業員は、このような現地での調整によるデータ変更を保守部門端末１１の制御データ調整手段１２を用いて「ROM1」に対して行い（ステップ４）、「ROM2」を生成する。利用者に対するエレベータ運転のサービスは、この「ROM2」に基づき行われることになる。
【００２６】
次いで、保守作業員は、制御データ調整手段１２による調整を完了した後、調整完了指示手段１３によりこの調整が完了したことをホストコンピュータ４側に指示する。すると、ホストコンピュータ４の制御データダウンロード手段５は、この指示に基づき、エレベータ制御装置２の制御データ記憶手段３（E2PROM）に記憶されている、調整後制御データとしての「ROM2」をダウンロードし（ステップ５）、「制御データ2」を得る。
【００２７】
すると、制御データ変更履歴取得保存手段６は、既にデータベースに保存されている「制御データ1」と、制御データダウンロード手段５のダウンロードに基づき得た「制御データ2」とを比較して、制御データ変更履歴情報を取得し、これを保存する（ステップ６）。
【００２８】
図４は、この制御データ変更履歴情報の構成例を示す説明図である。この図に示すように、「変更日」、「変更回数」、「変更個所」、「変更内容」、「担当者」等が記載されている。
【００２９】
ホストコンピュータ４は、上記の制御データ変更履歴情報を反映させた制御データシートを作成する手段を有している。すなわち、ステップ６で制御データ変更履歴取得保存手段６が制御データ変更履歴情報を取得し保存すると、ホストコンピュータ４は先に自己のデータベースに保存していた「制御データシート1」に、この制御データ変更履歴情報の内容を取り込み（ステップ７）、「制御データシート2」を作成する。ここで、「制御データシート1」は「制御データ1」に対応するものであり、「制御データシート1」により把握されるデータ内容は「制御データ1」と等価である。同様に、「制御データシート2」は「制御データ2」に対応するものであり、「制御データシート2」により把握されるデータ内容は「制御データ2」と等価である。
【００３０】
以上のように、図１の構成によれば、ホストコンピュータ４の制御データ変更履歴取得保存手段６が、エレベータ制御装置２の制御データ記憶手段３に記憶されるエレベータ制御データについて、その初期値から現在値に至る変更履歴をエレベータ制御装置２又は設計部門端末７、製造部門端末１０、保守部門端末１１から取得し、これを保存するようになっているので、ホストコンピュータ４によるエレベータ制御データの一元的な管理を実現することができる。
【００３１】
そして、本発明は上記した実施形態の他に以下のような形態をも広く包含するものである。
【００３２】
（１）上記実施形態では、保守部門端末１１がパーソナルコンピュータにより構成されており、制御データ記憶手段３に記憶された制御データに対する制御データ調整手段１２の調整作業がネットワーク１を介して行われ、また、調整後の制御データのエレベータ制御装置２からホストコンピュータ４側への転送がネットワーク１を介して行われているが、必ずしもネットワーク１を介して行うことに限定されるものではない。
【００３３】
例えば、保守部門端末１１をエレベータ制御装置２に直接接続して調整作業を行なった後、調整後の制御データを記録媒体に取り込み、この記録媒体をホストコンピュータ４側に持ち込んでそのデータベースに調整後制御データを保存するようにすることもできる。したがって、エレベータ設置場所がネットワークが完備していないような場所であっても本発明のデータ一元管理を実現することができ、また、保守部門端末１１には、現地の保守作業員が通常業務で携帯しているコンソール端末を用いることができる。
【００３４】
（２）上記実施形態では、制御データ調整手段１２による調整完了が調整完了指示手段１３によりホストコンピュータ４に対して指示されるようになっているが、この調整完了指示手段１３を不要とする構成にすることもできる。例えば、制御データ記憶手段３に記憶されるエレベータ制御データに、エレベータ保守作業を担当する保守作業員により調整が行われたことを示す調整済み指示フラグを含ませるようにすると共に、ホストコンピュータ４の制御データダウンロード手段５が、この調整済み指示フラグの有無を所定周期毎にチェックし、調整済み指示フラグを検出した場合に、制御データ記憶手段３から制御データをネットワークを介してダウンロードする構成とすることが可能である。
【００３５】
（３）上述した実施形態では、制御データ変更履歴取得保存手段６が取得する初期値が「制御データ1」で、現在値が「制御データ2」であるとして説明しているが、この初期値には「制御データ1」以前の段階におけるデータを含ませることができる。例えば、設計員が図２のステップ１の制御データ作成処理を行う前の段階で、設計ルール、ユーザ仕様データ、及び追加指示データを参照して制御データの検討を行うが、この検討段階における制御データの値を初期値として取得し保存する構成とすることもできる。これにより、制御データの内容を事後的に解析する際に、より有効な情報として活用することが可能になる。
【００３６】
（４）上述した実施形態では、制御データ記憶手段３としてE2PROMを用いているが、書換可能なものであれば例えばフラッシュメモリなど他の手段を採用してもかまわない。
【図面の簡単な説明】
【００３７】
【図１】本発明の実施形態の構成図。
【図２】図１の動作を説明するためのフローチャート。
【図３】図２における「制御データシート1」のデータ構成例を示す説明図。
【図４】図１における制御データ変更履歴取得保存手段６が取得し保存する制御データ変更履歴情報の構成例を示す説明図。
【図５】エレベータメーカにおける制御データについての従来の管理の仕方を示すフローチャート。
【符号の説明】
【００３８】
１  ネットワーク
２  エレベータ制御装置
３  制御データ記憶手段（E2PROM）
４  ホストコンピュータ
５  制御データダウンロード手段
６  制御データ変更履歴取得保存手段
７  設計部門端末
８  制御データ作成手段
９  制御データシート作成手段
１０  製造部門端末
１１  保守部門端末
１２  制御データ調整手段
１３  調整完了指示手段
【図１】
2006044867.tif 000003
【図２】
2006044867.tif 000004
【図３】
2006044867.tif 000005
【図４】
2006044867.tif 000006
【図５】
2006044867.tif 000007